(57)【特許請求の範囲】
【請求項１】
伝動機構を内装する伝動ケース（１）の下部で左右方向に突出した駆動軸（２），（２）の左右両側部に左右の除草機（１４，１４）を取り付けて構成し、この左の除草機（１４）には、駆動軸に近い大径の内側盤体（４）と駆動軸から遠い小径の外側盤体（５）を構成し、右の除草機（１４）には、駆動軸に近い大径の内側盤体（４）と駆動軸から遠い小径の外側盤体（５）を構成し、刃先が回転中心に対して同心回転をする主刃部（６ａ）を有するブレード刃（３）を前記左右の除草機（１４，１４）にそれぞれに設けられている駆動軸に近い大径の内側盤体（４）と駆動軸から遠い小径の外側盤体（５）にわたって設け、このブレード刃（３）の外端部には刃先が外側ほど回転中心側へ近づいた傾斜刃部（６ｂ）を形成した畝間除草装置。
【請求項２】
前記左右の除草機（１４，１４）にそれぞれに設けられている駆動軸に近い大径の内側盤体（４）と駆動軸から遠い小径の外側盤体（５）にわたって設けるブレード刃（３）を内側ブレード（３ａ）と外側ブレード（３ｂ）の二部材で構成すると共に、内側ブレード（３ａ）と外側ブレード（３ｂ）の中央部をスライド固定可能に重ね合わせると共に、前記駆動軸に近い大径の内側盤体（４）と駆動軸から遠い小径の外側盤体（５）の間隔を変更可能にしたことを特徴とする請求項１に記載の畝間除草装置。
【発明の詳細な説明】
【技術分野】
【０００１】
この発明は、畝間（畝溝）に生えた雑草類を切断したり削り取って除草する畝間除草装置に関するものである。
【背景技術】
【０００２】
従来、畝間除草装置としては、特開平９−３７６０４号公報に記載の如く、車体後部にカルチ爪を副数本併設すると共に、このカルチ爪の左右両側にロータリ式耕耘爪を設け、車両の進行に伴って前記カルチ部で畝の表面を削り、また左右両側の耕耘爪で畝溝部を削って除草するものが知られている。
【０００３】
また、特開平１０−１６４９０３号公報に記載の如く、チェンケースの下端部で左右に突出したロータリ軸に左右それぞれ離間して設ける取付リングに、水平回転するブレード状の除草ロータを取り付けて畝溝部の雑草を除草ロータで削り取るものもある。
【特許文献１】特開平９−３７６０４号公報
【特許文献２】特開平１０−１６４９０３号公報
【発明の開示】
【発明が解決しようとする課題】
【０００４】
前記カルチ爪で畝の表面を削り耕耘爪で畝溝部を削る畝間除草装置では、ロータリ式耕耘爪により畝溝部を除草するため、この回転する各耕耘爪の間隙に雑草類が入り込み易く、特に爪の取付基部に雑草が固く巻き付いて、作業途中にこれら雑草類を取り除く手間を要するもので有った。
【０００５】
また、前記ブレード状の除草ロータで雑草を削り取るものは、畝溝底部の除草は効果的に行えるが、畝の傾斜面に生えたり畝の上部から畝溝上に倒れ掛かっている雑草を取り除けず、除草ロータの取付リングに雑草が絡みつくことが多く、この絡みついた雑草を取り除く為に作業を中断せねばならなかった。
【０００６】
そこで、この発明は、畝溝底部だけでなく畝溝傾斜面の雑草をも削ると共に畝の上部から畝溝上に倒れ掛かった雑草を切断して軸に巻き付くのを防ぐ除草装置を提供しようとするものである。
【課題を解決するための手段】
【０００７】
前記課題を解決するために、本発明は次のような技術的手段を講じた。
即ち、請求項１の発明は、伝動機構を内装する伝動ケース１の下部で左右方向に突出した駆動軸２，２の左右両側部に左右の除草機１４，１４を取り付けて構成し、この左の除草機１４には、駆動軸に近い大径の内側盤体４と駆動軸から遠い小径の外側盤体５を構成し、右の除草機１４には、駆動軸に近い大径の内側盤体４と駆動軸から遠い小径の外側盤体５を構成し、刃先が回転中心に対して同心回転をする主刃部６ａを有するブレード刃３を前記左右の除草機１４，１４にそれぞれに設けられている駆動軸に近い大径の内側盤体４と駆動軸から遠い小径の外側盤体５にわたって設け、このブレード刃３の外端部には刃先が外側ほど回転中心側へ近づいた傾斜刃部６ｂを形成した畝間除草装置とする。
【０００８】
この請求項１の構成では、駆動軸２を回転駆動させながら畝溝部を移動すると、ブレード刃３の主刃部６ａで畝溝底部の雑草が削られ、ブレード刃３の傾斜刃部６ｂで畝溝傾斜面下部の雑草が土壌表面と共に根部からカットされた状態になる。
【０００９】
また請求項２の発明は、前記左右の除草機１４，１４にそれぞれに設けられている駆動軸に近い大径の内側盤体４と駆動軸から遠い小径の外側盤体５にわたって設けるブレード刃３を内側ブレード３ａと外側ブレード３ｂの二部材で構成すると共に、内側ブレード３ａと外側ブレード３ｂの中央部をスライド固定可能に重ね合わせると共に、前記駆動軸に近い大径の内側盤体４と駆動軸から遠い小径の外側盤体５の間隔を変更可能にしたことを特徴とする請求項１に記載の畝間除草装置とする。
【００１０】
この請求項２の構成では、ブレード刃３の内側ブレード３ａと外側ブレード３ｂの重なり程度を変更し、駆動軸に近い大径の内側盤体４と駆動軸から遠い小径の外側盤体５の間隔も変更してそれぞれ固定することで削り幅を変更できる。
【発明の効果】
【００１１】
請求項１の発明では、ブレード刃３の主刃部６ａで畝溝底部の雑草が削られ、ブレード刃３の傾斜刃部６ｂの回転で畝溝傾斜面下部の雑草が削り取られることになり、さらに、畝上部から畝溝を覆うように倒れている雑草はブレード刃３の傾斜刃部６ｂで切断されるようになる。そして、ブレード刃３を板状の駆動軸に近い大径の内側盤体４と駆動軸から遠い小径の外側盤体５に取り付けているので、雑草がブレード３の回転内側へ入り込むのを防ぎ、回転部分に絡まる雑草を少なく出来、従来よりも長く作業を継続できる。
【００１２】
また請求項２の発明では、畝溝幅が異なる場合に別の部品を要することなく、一度の畝溝走行作業で除草するように削り幅を変更出来る。
【発明を実施するための最良の形態】
【００１３】
以下、図面に基づいて、本発明の実施例を説明する。
この実施例は、乗用管理機１０に畝間除草装置１２を装着した例である。
乗用管理機１０の車体後部には、図１に示すように、昇降装置１１を介して畝間除草装置１２が昇降自在に連結されている。
【００１４】
この畝間除草装置１２は、前記乗用管理機１０のＰＴＯ動力を伝達させる伝動ボックス１３と、伝動ボックス１３に下方に向かって複数併設する伝動ケース１と、各伝動ケース１の下端部左右両側に左右方向に突出軸架されている駆動軸２，２と、駆動軸２，２の左右両側部に取り付けられている除草機１４，１４と、各除草機１４の上方及び上部外側方を覆う上部カバー１５と、上部カバー１５，１５のフレーム部に上下調節自在に取り付けられている尾輪１６等により構成されている。また前記各伝動ケース１の下部には作溝板９を取り付けている。
【００１５】
また前記除草機１４は、図２と図３に示すように、前記伝動ケース１に隣接して回転させる大径の内側盤体４を備える共に、畝Ｕ側で回転させる小径の外側盤体５を備えていて、この内側盤体４と外側盤体５にわたってブレード刃３を取り付けている。
【００１６】
内側盤体４は、駆動軸２にピン１７で固定した内筒軸１８の内側端部に溶着した円板状の盤体で、この内筒軸１８の外側端部に取付フランジ２２を溶着し、この取付フランジ２２をボルト２０とナット２１で駆動軸２の端面に押し付けて内筒軸１８の固定を安定させている。内筒軸１８の取付フランジ２２に延長内筒軸２３に溶着したフランジ２４を当接させてボルト２５とナット２６で該延長内筒軸２３を内筒軸１８の軸線上に取り付けている。
【００１７】
外側盤体５は、延長内筒軸２３に外嵌してピン２７で固定した外筒軸１９の外側端部に溶着した円板状の盤体で、延長内筒軸２３と外筒軸１９には、ピン２７を嵌合する孔を三個設けて、延長内筒軸２３と外筒軸１９へのピン２７を嵌合する位置を代えて内側盤体４と外側盤体５の間隔を変更可能にしている。
【００１８】
ブレード刃３は、内側ブレード３ａと外側ブレード３ｂの二部材で構成し、中間部を当金３０とボルト３１とナット３２で固定している。外側から重ねる内側ブレード３ａはボルト孔を設け、内側から重ねる外側ブレード３ｂには長手方向へ長孔を設けて、内側ブレード３ａと外側ブレード３ｂの取付部の間隔を前記内側盤体４と外側盤体５の間隔に適合させるようにしている。当金３０は、Ｌ字状に折り曲げてブレード背面に当接させて内側ブレード３ａと外側ブレード３ｂが折れ曲がらないように固定している。内側ブレード３ａと外側ブレード３ｂの重ね部分は、ブレードが駆動軸２の軸心方向と平行な主刃部６ａとしている。
【００１９】
内側ブレード３ａは、その内側部分を直角に曲げて、その端部を留金３３に嵌入し、ボルト３４とナット３５で内側盤体４の外側へ取り付けている。また、外側ブレード３ｂは、その中間部を駆動軸２の軸心方向へ傾斜して傾斜刃部６ｂを形成し、先端部を更に外側盤体５に沿うよう曲げていて、その端部を留金３６に嵌入し、ボルト３７とナット３８で外側盤体５の外側へ取り付けている。
【００２０】
ブレード刃３の内側盤体４と外側盤体５への取付は、図５の側面図で示すように地面に対して侵入角θを持たせて取付け、ブレード刃３が地面に対して鋭角で打ち込まれるようにしている。このことで、地面を削りやすくなる。
【００２１】
なお、内側ブレード３ａと外側ブレード３ｂの刃先は、留金３３，３６の差込部を除く全てに形成し、雑草の削り幅を最大にしている。このことによっても雑草の絡み付を少なくしている。
【００２２】
また、内側ブレード３ａは外側が傾斜した片刃で、外側ブレード３ｂは内側が傾斜した片刃で、両ブレード３ａ，３ｂの重なり部分では刃先に隙間が無く両刃になるようにしている。（図７参照）
以上のように構成した畝間除草装置１２では、図３に示すように、例えば大豆等の作物Ｓが植えられている畝Ｕの溝部ＵＭに前記ブレード刃３の主刃部６ａを位置させると共に、外側盤体５を畝Ｕの斜面部に位置させた状態で、ブレード刃３，３・・・を駆動軸２周りにダウンカット方向（図２中矢印Ａ方向）に回転させる。
【００２３】
すると、雑草類は、ブレード刃３で下方に掻き込まれつつ切断破砕され、或いは主刃部６ａと傾斜刃部６ｂにより畝Ｕの斜面部及び底部が浅く削られ、斜面部に残存している雑草類及び土が内側に掻き込まれ、切断破砕される。また、畝Ｕの上面に生えて畝溝に横たわっている雑草も傾斜刃部６ｂにより切断される。
【００２４】
ブレード刃３の外側には、切断作用する傾斜刃部６ｂと面状の外側盤体５で駆動軸２側へ侵入する雑草を防いで、絡み付きを少なく出来るので、除草作業を中断すること無く連続して行なうことができる。
【００２５】
除草機１４のブレード刃３が作用しない伝動ケース１の下部地面の雑草は、乗用管理機１０の走行に伴って、作溝板９が削り取ったり雑草を除草機１４のブレード刃３の回転域へ押し倒して切断することになる。
【００２６】
尚、前記除草機１４は、この駆動軸２の回転数を前記乗用管理機１０の速度、詳しくは前後輪の回転数よりも高速で回転させ、またこの回転径は、雑草類の背丈よりも大きな径を設定する。
【図面の簡単な説明】
【００２７】
【図１】乗用管理機全体の側面図。
【図２】畝間除草装置の側面図。
【図３】畝間除草装置の作業状態を示す背断面図。
【図４】畝間除草装置の一部拡大背断面図。
【図５】畝間除草装置の一部側面図。
【図６】畝間除草装置の一部拡大平面図。
【図７】畝間除草装置の一部拡大側面図。
【符号の説明】
【００２８】
１    伝動ケース
２    駆動軸
３    ブレード刃
３ａ  内側ブレード
３ｂ  外側ブレード
４ 内側盤体
５ 外側盤体
６ａ  主刃部
６ｂ  傾斜刃部
１４，１４ 左右の除草機
【図１】
0004797604.tif 000002
【図２】
0004797604.tif 000003
【図３】
0004797604.tif 000004
【図４】
0004797604.tif 000005
【図５】
0004797604.tif 000006
【図６】
0004797604.tif 000007
【図７】
0004797604.tif 000008